(57)【要約】  電子機器は、着脱式充電装置及び非接触充電装置によって充電される第１電池を備える。電子機器は、充電処理部、判定部及び決定部を備える。充電処理部は、電子機器に装着された着脱式充電装置から供給される第２電池の第１電力を用いて第１電池を充電する第１充電と、非接触充電装置から非接触で送電される第２電力を用いて第１電池を充電する第２充電とを実行する。判定部は、電子機器に着脱式充電装置が装着されているか否かを判定する。決定部は、判定部が電子機器に着脱式充電装置が装着されていると判定したとき、非接触充電装置による第２電力の送電を不可とする。
2016189967.tif 000002
【特許請求の範囲】
【請求項１】
着脱式充電装置及び非接触充電装置によって充電される第１電池を備え、
前記着脱式充電装置は、第２電池を備え、前記電子機器の表面に着脱可能であり、
前記電子機器に装着された前記着脱式充電装置から供給される前記第２電池の第１電力を用いて前記第１電池を充電する第１充電と、前記非接触充電装置から非接触で送電される第２電力を用いて前記第１電池を充電する第２充電とを実行する充電処理部と、
前記電子機器に前記着脱式充電装置が装着されているか否かを判定する判定部と、
前記判定部が前記電子機器に前記着脱式充電装置が装着されていると判定したとき、前記非接触充電装置による前記第２電力の送電を不可とする決定部と
をさらに備える、電子機器。
【請求項２】
請求項１に記載の電子機器であって、
前記電子機器は、前記決定部が前記第２電力の送電を不可としたとき、前記第２電力を送電しないことを前記非接触充電装置に指示する、電子機器。
【請求項３】
請求項１に記載の電子機器であって、
前記充電処理部は、
前記第２電力を受電し、受電した前記第２電力に基づいて出力電圧を生成して出力する受電処理部と、
前記出力電圧に基づいて前記第１電池を充電し、前記第１電力を用いて前記第１電池を充電する充電制御部と
を有し、
前記受電処理部は、前記非接触充電装置から非接触で送電される第３電力を用いて前記非接触充電装置と初期通信を行い、
前記非接触充電装置は、前記初期通信の後に、前記第２電力の送電を開始し、
前記電子機器は、前記決定部が前記第２電力の送電を不可としたとき、前記受電処理部の動作を停止する、電子機器。
【請求項４】
請求項１乃至請求項３のいずれか一つに記載の電子機器であって、
前記第２電力の送電が不可の場合、前記第２充電が実行されないことをユーザに通知する通知部をさらに備える、電子機器。
【請求項５】
請求項４に記載の電子機器であって、
前記通知部は、表示部を含み、
前記表示部は、前記第２電力の送電が不可の場合、前記第２充電が実行されないことをユーザに通知する通知情報を表示する、電子機器。
【請求項６】
請求項１乃至請求項３のいずれか一つに記載の電子機器であって、
前記通知部は、前記第２電力の送電が不可の場合、前記着脱式充電装置が前記電子機器から取り外されなければ前記第２充電が実行されないことをユーザに通知する、電子機器。
【請求項７】
請求項６に記載の電子機器であって、
前記通知部は、表示部を含み、
前記表示部は、前記第２電力の送電が不可の場合、前記着脱式充電装置が前記電子機器から取り外されなければ前記第２充電が実行されないことをユーザに通知する通知情報を表示する、電子機器。
【請求項８】
請求項２に記載の電子機器であって、
前記電子機器は、前記非接触充電装置から非接触で送電される第３電力を用いて前記非接触充電装置と初期通信を行い、
前記非接触充電装置は、前記初期通信の後に、前記第２電力の送電を開始し、
前記判定部は、前記電子機器が前記初期通信を開始した後に、前記電子機器に前記着脱式充電装置が装着されているか否かを判定する、電子機器。
【請求項９】
請求項８に記載の電子機器であって、
前記電子機器は、前記決定部が前記第２電力の送電を不可としたとき、前記初期通信において前記第２電力を送電しないことを前記非接触充電装置に指示する、電子機器。
【請求項１０】
請求項１に記載の電子機器であって、
前記第２電力の送電が不可の場合、前記第２充電が実行されないことをユーザに通知する通知部をさらに備え、
前記電子機器は、前記非接触充電装置から非接触で送電される第３電力を用いて前記非接触充電装置と初期通信を行い、
前記非接触充電装置は、前記初期通信の後に、前記第２電力の送電を開始し、
前記非接触充電装置は、前記第２電力を送電しないときには前記第３電力を間欠的に送電し、
前記第２電力の送電が不可の場合、前記通知部は、
前記電子機器の状態が前記第３電力を間欠的に受電する第１状態のとき、前記第２充電が実行されないことをユーザに通知し、
前記電子機器の状態が、前記第１状態から、前記第３電力を受電しない第２状態に変化したとき、前記第２充電が実行されないことのユーザへの通知を停止する、電子機器。
【請求項１１】
請求項１に記載の電子機器であって、
前記充電処理部は、
前記第２電力を受電し、受電した前記第２電力に基づいて出力電圧を生成して出力する受電処理部と、
前記出力電圧に基づいて前記第１電池を充電し、前記第１電力に基づいて前記第１電池を充電する充電制御部と
を有し、
前記電子機器は、前記決定部が前記第２電力の送電を不可としたとき、前記受電処理部の動作を停止する、電子機器。
【請求項１２】
請求項１に記載の電子機器であって、
表示部をさらに備え、
前記第２電力の送電が不可の場合、前記表示部は、前記第２充電が実行されないことをユーザに通知する通知アイコンと、前記着脱式充電装置が前記電子機器から取り外されなければ前記第２充電が実行されないことをユーザに通知する通知情報のうちの少なくとも前記通知情報を一定時間表示した後、前記通知情報の表示を消去する、電子機器。
【請求項１３】
請求項１２に記載の電子機器であって、
前記表示部は、前記通知アイコン及び前記通知情報のうちの少なくとも前記通知情報を一定時間表示した後、前記通知情報の表示を消去し、前記通知アイコンを表示する、電子機器。
【請求項１４】
請求項１に記載の電子機器であって、
表示部をさらに備え、
前記電子機器は、前記非接触充電装置から非接触で送電される第３電力を用いて前記非接触充電装置と初期通信を行い、
前記非接触充電装置は、前記初期通信の後に、前記第２電力の送電を開始し、
前記非接触充電装置は、前記第２電力を送電しないときには前記第３電力を間欠的に送電し、
前記第２電力の送電が不可の場合、前記表示部は、
前記第２充電が実行されないことをユーザに通知する通知アイコンと、前記着脱式充電装置が前記電子機器から取り外されなければ前記第２充電が実行されないことをユーザに通知する通知情報のうちの少なくとも前記通知情報を、前記電子機器の状態が前記第３電力を間欠的に受電する第１状態のときに表示し、
前記電子機器の状態が、前記第１状態から、前記第３電力を受電しない第２状態に変化したとき、前記通知情報の表示を消去する、電子機器。
【請求項１５】
請求項１４に記載の電子機器であって、
前記第２電力の送電が不可の場合、前記表示部は、
前記通知情報の表示を消去した後、前記電子機器の状態が前記第２状態から前記第１状態に変化したとき、前記通知情報を再表示する、電子機器。
【請求項１６】
請求項１４及び請求項１５のいずれか一つに記載の電子機器であって、
前記第２電力の送電が不可の場合、前記表示部は、
前記電子機器の状態が前記第１状態から前記第２状態に変化したとき、前記通知情報の表示を消去し、前記通知アイコンを表示する、電子機器。
【請求項１７】
請求項１３及び請求項１６のいずれか一つに記載の電子機器であって、
前記表示部は、前記通知アイコン及び前記通知情報のうちの前記通知アイコンだけを表示している場合に、前記電子機器に所定の操作が行われたとき、前記通知情報を表示する、電子機器。
【請求項１８】
請求項１６に記載の電子機器であって、
前記充電処理部は、
前記第２電力を受電し、受電した前記第２電力に基づいて出力電圧を生成して出力する受電処理部と、
前記出力電圧に基づいて前記第１電池を充電し、前記第１電力に基づいて前記第１電池を充電する充電制御部と
を有し、
前記受電処理部は、前記第３電力を受電し、受電した前記第３電力を用いて前記非接触充電装置と前記初期通信を行い、
前記第２電力の送電が不可の場合、
前記受電処理部の状態が前記第１状態のとき、前記表示部は前記通知アイコン及び前記通知情報のうちの少なくとも前記通知情報を表示し、
前記受電処理部の状態が前記第１状態から前記第２状態に変化したとき、前記表示部は前記通知情報の表示の消去及び前記通知アイコンの表示を実行し、かつ前記電子機器は前記受電処理部の動作を停止する、電子機器。
【請求項１９】
非接触充電装置によって充電される第１電池を有する電子機器と、
第２電池を有し、前記電子機器の表面に着脱可能であり、前記第１電池を充電する着脱式充電装置と
備え、
前記電子機器は、
前記電子機器に装着された前記着脱式充電装置から供給される前記第２電池の第１電力を用いて前記第１電池を充電する第１充電と、前記非接触充電装置から非接触で送電される第２電力を用いて前記第１電池を充電する第２充電とを実行する充電処理部と、
前記電子機器に前記着脱式充電装置が装着されているか否かを判定する判定部と、
前記判定部が前記電子機器に前記着脱式充電装置が装着されていると判定したとき、前記非接触充電装置による前記第２電力の送電を不可とする決定部と
を有する、電子機器システム。
【請求項２０】
着脱式充電装置によって充電される第１電池を有する電子機器と、
前記第１電池を充電する非接触充電装置と
備え、
前記着脱式充電装置は、第２電池を備え、前記電子機器の表面に着脱可能であり、
前記電子機器は、
前記電子機器に装着された前記着脱式充電装置から供給される前記第２電池の第１電力を用いて前記第１電池を充電する第１充電と、前記非接触充電装置から非接触で送電される第２電力を用いて前記第１電池を充電する第２充電とを実行する充電処理部と、
前記電子機器に前記着脱式充電装置が装着されているか否かを判定する判定部と、
前記判定部が前記電子機器に前記着脱式充電装置が装着されていると判定したとき、前記非接触充電装置による前記第２電力の送電を不可とする決定部と
を有する、電子機器システム。
【請求項２１】
第１電池を有する電子機器と、
第２電池を有し、前記電子機器の表面に着脱可能であり、前記第１電池を充電する着脱式充電装置と、
前記第２電池を充電する非接触充電装置と
備え、
前記電子機器は、
前記電子機器に装着された前記着脱式充電装置から供給される前記第２電池の第１電力を用いて前記第１電池を充電する第１充電と、前記非接触充電装置から非接触で送電される第２電力を用いて前記第１電池を充電する第２充電とを実行する充電処理部と、
前記電子機器に前記着脱式充電装置が装着されているか否かを判定する判定部と、
前記判定部が前記電子機器に前記着脱式充電装置が装着されていると判定したとき、前記非接触充電装置による前記第２電力の送電を不可とする決定部と
を有する、電子機器システム。
【請求項２２】
着脱式充電装置及び非接触充電装置によって充電される第１電池を備える電子機器の動作方法であって、
前記着脱式充電装置は、第２電池を備え、前記電子機器の表面に着脱可能であり、
前記電子機器に装着された前記着脱式充電装置から供給される前記第２電池の第１電力を用いて前記第１電池を充電する第１充電と、前記非接触充電装置から非接触で送電される第２電力を用いて前記第１電池を充電する第２充電とを実行する第１工程と、
前記電子機器に前記着脱式充電装置が装着されているか否かを判定する第２工程と、
前記第２工程において前記電子機器に前記着脱式充電装置が装着されていると判定されたとき、前記非接触充電装置による前記第２電力の送電を不可とする第３工程と
を備える、電子機器の動作方法。
【発明の詳細な説明】
【技術分野】
【０００１】
本発明は、電子機器に関する。
【背景技術】
【０００２】
特許文献１にも記載されているように、従来から電子機器に関して様々な技術が提案されている。
【先行技術文献】
【特許文献】
【０００３】
【特許文献１】特開２００８−１３１８１２号公報
【発明の概要】
【発明が解決しようとする課題】
【０００４】
電子機器が備える電池は、当該電子機器に対して着脱可能な着脱式充電装置によって充電されることがある。着脱式充電装置が電子機器に装着された状態で、当該電子機器の電池が非接触充電装置によって非接触充電される場合には、着脱式充電装置が発熱する可能性がある。【０００５】
そこで、本発明は上述の点に鑑みて成されたものであり、電子機器に装着される充電装置が発熱することを抑制することが可能な技術を提供することを目的とする。
【課題を解決するための手段】
【０００６】
電子機器、電子機器システム及び電子機器の動作方法が開示される。一の実施の形態では、電子機器は、着脱式充電装置及び非接触充電装置によって充電される第１電池を備える。電子機器は、充電処理部、判定部及び決定部を備える。充電処理部は、電子機器に装着された着脱式充電装置から供給される第２電池の第１電力を用いて第１電池を充電する第１充電と、非接触充電装置から非接触で送電される第２電力を用いて第１電池を充電する第２充電とを実行する。判定部は、電子機器に着脱式充電装置が装着されているか否かを判定する。決定部は、判定部が電子機器に着脱式充電装置が装着されていると判定したとき、非接触充電装置による第２電力の送電を不可とする。【０００７】
また、一の実施の形態では、電子機器システムは、非接触充電装置によって充電される第１電池を有する電子機器と、第２電池を有し、電子機器の表面に着脱可能であり、第１電池を充電する着脱式充電装置と備える。電子機器は、充電処理部、判定部及び決定部を有する。充電処理部は、電子機器に装着された着脱式充電装置から供給される第２電池の第１電力を用いて第１電池を充電する第１充電と、非接触充電装置から非接触で送電される第２電力を用いて第１電池を充電する第２充電とを実行する。判定部は、電子機器に着脱式充電装置が装着されているか否かを判定する。決定部は、判定部が電子機器に着脱式充電装置が装着されていると判定したとき、非接触充電装置による第２電力の送電を不可とする。【０００８】
また、一の実施の形態では、電子機器システムは、着脱式充電装置によって充電される第１電池を有する電子機器と、第１電池を充電する非接触充電装置と備える。着脱式充電装置は、第２電池を備え、電子機器の表面に着脱可能である。電子機器は、充電処理部、判定部及び決定部を有する。充電処理部は、電子機器に装着された着脱式充電装置から供給される第２電池の第１電力を用いて第１電池を充電する第１充電と、非接触充電装置から非接触で送電される第２電力を用いて第１電池を充電する第２充電とを実行する。判定部は、電子機器に着脱式充電装置が装着されているか否かを判定する。決定部は、判定部が電子機器に着脱式充電装置が装着されていると判定したとき、非接触充電装置による第２電力の送電を不可とする。【０００９】
また、一の実施の形態では、電子機器システムは、第１電池を有する電子機器と、第２電池を有し、電子機器の表面に着脱可能であり、第１電池を充電する着脱式充電装置と、第２電池を充電する非接触充電装置と備える。電子機器は、充電処理部、判定部及び決定部を有する。充電処理部は、電子機器に装着された着脱式充電装置から供給される第２電池の第１電力を用いて第１電池を充電する第１充電と、非接触充電装置から非接触で送電される第２電力を用いて第１電池を充電する第２充電とを実行する。判定部は、電子機器に着脱式充電装置が装着されているか否かを判定する。決定部は、判定部が電子機器に着脱式充電装置が装着されていると判定したとき、非接触充電装置による第２電力の送電を不可とする。【００１０】
また、一の実施の形態では、電子機器の動作方法は、着脱式充電装置及び非接触充電装置によって充電される第１電池を備える電子機器の動作方法である。着脱式充電装置は、第２電池を備え、電子機器の表面に着脱可能である。電子機器の動作方法は、第１工程、第２工程及び第３工程を備える。第１工程では、電子機器に装着された着脱式充電装置から供給される第２電池の第１電力が用いられて第１電池が充電される第１充電と、非接触充電装置から非接触で送電される第２電力が用いられて第１電池が充電される第２充電とが実行される。第２工程では、電子機器に着脱式充電装置が装着されているか否かが判定される。第３工程では、第２工程において電子機器に着脱式充電装置が装着されていると判定されたとき、非接触充電装置による第２電力の送電が不可とされる。
【発明の効果】
【００１１】
電子機器に装着される充電装置の発熱を抑制することができる。
【図面の簡単な説明】
【００１２】
【図１】電子機器システムの構成の一例を示すブロック図である。
【図２】電子機器の外観の一例を示す前面図である。
【図３】電子機器の外観の一例を示す背面図である。
【図４】電子機器の外観の一例を示す側面図である。
【図５】電子機器の外観の一例を示す側面図である。
【図６】ジャケット付き電子機器の外観の一例を示す背面図である。
【図７】ジャケット付き電子機器の外観の一例を示す側面図である。
【図８】着脱式充電装置の外観の一例を示す前面図である。
【図９】着脱式充電装置の外観の一例を示す背面図である。
【図１０】着脱式充電装置の外観の一例を示す側面図である。
【図１１】非接触充電装置の外観の一例を示す斜視図である。
【図１２】電子機器が非接触充電装置に載置されている様子の一例を示す図である。
【図１３】電子機器の構成の一例を示すブロック図である。
【図１４】着脱式充電装置の構成の一例を示すブロック図である。
【図１５】電子機器の電源部の構成の一例を示すブロック図である。
【図１６】電子機器及び非接触充電装置の断面構造の一例を示す図である。
【図１７】電子機器の動作の一例を示すフローチャートである。
【図１８】電子機器の表示例を示す図である。
【図１９】ジャケット付き電子機器が非接触充電装置に載置されている様子の一例を示す図である。
【図２０】電子機器の動作の一例を示すフローチャートである。
【図２１】電子機器の動作の一例を示すフローチャートである。
【図２２】電子機器の表示例を示す図である。
【図２３】電子機器の表示例を示す図である。
【図２４】電子機器の表示例を示す図である。
【図２５】電子機器の表示例を示す図である。
【図２６】電子機器の表示例を示す図である。
【図２７】電子機器が操作される様子の一例を示す図である。
【図２８】電子機器が操作される様子の一例を示す図である。
【図２９】電子機器の動作の一例を示すフローチャートである。
【図３０】電子機器の動作の一例を示すフローチャートである。
【図３１】電子機器の動作の一例を示すフローチャートである。
【発明を実施するための形態】
【００１３】
＜電子機器システムの概要＞
図１は電子機器システム１の構成の一例を示すブロック図である。図１に示されるように、電子機器システム１は、電子機器２と、着脱式充電装置３と、非接触充電装置４とを備える。
【００１４】
電子機器２は、例えば、スマートフォン等の携帯電話機である。電子機器２は、基地局及びサーバ等を通じて他の通信装置と通信することが可能である。電子機器２は、充電式の電池２０１を備えている。
【００１５】
非接触充電装置４は、電子機器２の電池２０１に対して非接触充電を行うことが可能である。非接触充電は「ワイヤレス充電」あるいは「無接点充電」とも呼ばれる。
【００１６】
着脱式充電装置３は、電子機器２の表面に着脱可能である。着脱式充電装置３は、電子機器２に装着された状態で、電子機器２の電池２０１を充電することが可能である。着脱式充電装置３は、電池を備えており、当該電池の電力を電子機器２の電池２０１に供給することによって当該電池２０１を充電することが可能である。
【００１７】
着脱式充電装置３及び電子機器２のそれぞれには、複数の接続端子が設けられている。着脱式充電装置３が電子機器２に装着されると、着脱式充電装置３の複数の接続端子と電子機器２の複数の接続端子とが互いに接触する。これより、着脱式充電装置３と電子機器２とは互いに電気的に接続される。着脱式充電装置３は、自身の接続端子と、それに接触する電子機器２の接続端子とを通じて、電子機器２の電池２０１を充電することが可能である。以後、着脱式充電装置３による電池２０１の充電を「接触充電」あるいは「接点充電」と呼ぶことがある。
【００１８】
＜電子機器の外観＞
図２は電子機器２の外観の一例を示す前面図である。図３は電子機器２の外観の一例を示す背面図である。図４は図２の矢視Ａから見た際の電子機器２の外観の一例を示す側面図である。図５は図２の矢視Ｂから見た際の電子機器２の外観の一例を示す側面図である。
【００１９】
図２〜５に示されるように、電子機器２は、平面視で略長方形の板状の機器ケース２０を備えている。電子機器２の前面２ａ、つまり機器ケース２０の前面には、文字、記号、図形等の各種情報が表示される表示領域２１が設けられている。表示領域２１の裏面には後述するタッチパネル２４０が貼り付けられている。これにより、ユーザは、電子機器２の前面２ａの表示領域２１を指等で操作することによって、電子機器２に対して各種情報を入力することができる。なお、ユーザは、指以外の操作子、例えば、スタイラスペンなどの静電式タッチパネル用ペンで表示領域２１を操作することによっても、電子機器２に対して各種情報を入力することができる。
【００２０】
機器ケース２０の前面の下側端部及び上側端部にはマイク穴２３及びレシーバ穴２２がそれぞれ設けられている。機器ケース２０の前面の上側端部からは、後述する前面側撮像部２８０が有する撮像レンズ２８１が視認可能となっている。また機器ケース２０の下側の側面２ｄには、図５に示されるように、ＵＳＢ（Universal Serial Bus）コネクタ２０８が設けられている。ＵＳＢコネクタ２０８にはＵＳＢケーブルが接続される。ＵＳＢコネクタ２０８には、ＡＣアダプター等からＵＳＢケーブルを介して外部電圧（外部電力）が供給される。電子機器２は、着脱式充電装置３及び非接触充電装置４から供給される電力だけではなく、ＵＳＢコネクタ２０８に供給される外部電圧によっても電池２０１を充電することができる。
【００２１】
図３に示されるように、電子機器２の背面２ｂ、つまり機器ケース２０の背面には、スピーカ穴２４が設けられている。機器ケース２０の背面からは、後述する裏面側撮像部２９０が有する撮像レンズ２９１が視認可能となっている。また機器ケース２０の背面には、電子機器２を着脱式充電装置３に接続するための複数の接続端子２０７ｚから成る接続端子群２０７が設けられている。各接続端子２０７ｚは、金属等の導電性材料で構成されている。接続端子群２０７は、電子機器２に着脱式充電装置３が装着されると、着脱式充電装置３に設けられた後述の接続端子群３０７と接触する。これにより、電子機器２と着脱式充電装置３とが電気的に接続される。
【００２２】
非接触充電装置４の内部には、電子機器２に対して電力を送る送電コイルが設けられている。図２に示されるように、機器ケース２０の内部には、非接触充電装置４の送電コイルから送られる電力を受ける受電コイル２０５が設けられている。電子機器２の電池２０１は、受電コイル２０５が受ける電力に基づいて充電される。
【００２３】
＜着脱式充電装置の外観＞
図６，７は、着脱式充電装置３が装着された電子機器２の外観の一例を示す図である。着脱式充電装置３は、例えば、電子機器２の背面２ｂ側に装着される。図６は、着脱式充電装置３が装着された電子機器２がその背面２ｂ側から示されている。図７は、図６の矢視Ｃから見た際の、着脱式充電装置３が装着された電子機器２が示されている。着脱式充電装置３は、「ジャケット」あるいは「充電ケース」とも呼ばれる。以後、着脱式充電装置３が装着された電子機器２を「ジャケット付き電子機器２」と呼ぶことがある。
【００２４】
図８〜１０は着脱式充電装置３の外観の一例を示す図である。図８には、着脱式充電装置３が備えるケース３００の外側面３ａから見た際の着脱式充電装置３が示されている。図９には、ケース３００の内側面３ｂから見た際の着脱式充電装置３が示されている。図１０には、図８の矢視Ｄから見た際の着脱式充電装置３が示されている。
【００２５】
着脱式充電装置３は、着脱式充電装置３の外装を成すケース３００を備えている。ケース３００は、その内側面３ｂが少し凹んだ浅い皿状となっている。ケース３００は、平面視において、四隅が丸い長方形の上、下、左及び右の辺の中央部のそれぞれが凹んだ形状となっている。
【００２６】
ケース３００では、中央部３０の四隅から４つの保持部３１〜３４がそれぞれ延びている。４つの保持部３１〜３４が、電子機器２（機器ケース２０）の四隅の角部をそれぞれ保持することによって、着脱式充電装置３が電子機器２に装着される。図６に示されるように、保持部３１，３２，３３，３４は、電子機器２を背面２ｂ側から見た際の電子機器２の左上角部、右上角部、左下角部及び右下角部をそれぞれ保持する。例えば、４つの保持部３１〜３４は、それらの内側に設けられた爪部と、機器ケース２０の四隅の角部に設けられた凹部とが嵌合することによって、当該四隅の角部を保持する。
【００２７】
図９に示されるように、中央部３０の内側面の下側端部には、着脱式充電装置３を電子機器２に接続するための複数の接続端子３０７ｚから成る接続端子群３０７が設けられている。各接続端子３０７ｚは、金属等の導電性材料で構成されている。着脱式充電装置３が電子機器２に装着されると、着脱式充電装置３の複数の接続端子３０７ｚが電子機器２の複数の接続端子２０７ｚとそれぞれ接触する。
【００２８】
図７，１０に示されるように、ケース３００における、曲面となっている外側面３ａには、ＵＳＢコネクタ３０６が設けられている。具体的には、着脱式充電装置３の保持部３４の外側面にはＵＳＢコネクタ３０６が設けられている。ＵＳＢコネクタ３０６にはＵＳＢケーブルが接続される。ジャケット付き電子機器２では、側面の方からＵＳＢケーブルがＵＳＢコネクタ３０６に接続可能となっている。ＵＳＢコネクタ３０６には、ＡＣアダプター等からＵＳＢケーブルを介して外部電圧が供給される。着脱式充電装置３は、ＵＳＢコネクタ３０６に供給される外部電圧によって、自身の電池を充電することができる。
【００２９】
＜非接触充電装置の外観＞
図１１は非接触充電装置４の外観を示す斜視図である。図１１に示されるように、非接触充電装置４はケース４０を備えている。ケース４０の形状は、例えば、略直方体を成している。ケース４０内には、電子機器２に電力を送る送電コイル４０５が設けられている。
【００３０】
図１２に示されるように、電子機器２が非接触充電装置４のケース４０上に置かれた状態で、電子機器２の電池２０１は、非接触充電装置４によって充電される。非接触充電装置４は「充電台」とも呼ばれる。非接触充電装置４による電池２０１の非接触充電は、例えばＱｉ（チー）と呼ばれる規格に準拠して行われる。Ｑｉは、ＷＰＣ（Wireless Power Consortium）が策定した国際標準規格である。非接触充電装置４による電池２０１の非接触充電は、他の規格、例えば、ＰＭＡ（Power Matters Alliance）が定める規格に準拠しても良い。
【００３１】
なお、非接触充電装置４は、複数台の電子機器２を搭載可能であっても良い。複数台の電子機器２を搭載可能な非接触充電装置４は、当該複数台の電子機器２を同時に充電することが可能である。また非接触充電装置４は、スマートフォン等の携帯電話機の電池だけではなく、他の種類の電子機器の電池も充電可能である。
【００３２】
＜電子機器の電気的構成＞
図１３は電子機器２の電気的構成の一例を主に示すブロック図である。図１３に示されるように、電子機器２には、電源部２００、制御部２１０、無線通信部２２０、表示パネル２３０及びタッチパネル２４０が設けられている。さらに電子機器２には、マイク２５０、レシーバ２６０、外部スピーカ２７０、前面側撮像部２８０及び裏面側撮像部２９０が設けられている。電子機器２に設けられたこれらの構成要素は、機器ケース２０内に収められている。
【００３３】
制御部２１０は、ＣＰＵ（Central Processing Unit）２１１及びＤＳＰ（Digital Signal Processor）２１２等のプロセッサと記憶部２１３等を備える制御回路である。制御部２１０は、電子機器２の他の構成要素を制御することによって、電子機器２の動作を統括的に管理することが可能である。
【００３４】
記憶部２１３は、ＲＯＭ（Read Only Memory）及びＲＡＭ（Random Access Memory）等の、制御部２１０（ＣＰＵ２１１及びＤＳＰ２１２）が読み取り可能な非一時的な記録媒体で構成されている。記憶部２１３には、電子機器２が備える無線通信部２２０、表示パネル２３０等の各構成要素の動作を制御するための各種プログラムが記憶されている。制御部２１０の各種機能は、ＣＰＵ２１１及びＤＳＰ２１２が記憶部２１３内の各種プログラムを実行することによって実現される。なお、記憶部２１３は、ＲＯＭ及びＲＡＭ以外の、コンピュータが読み取り可能な非一時的な記録媒体を備えていても良い。記憶部２１３は、例えば、小型のハードディスクドライブ及びＳＳＤ（Solid State Drive）等を備えていても良い。
【００３５】
無線通信部２２０は、アンテナ２２１を有している。無線通信部２２０は、電子機器２とは別の携帯電話機からの信号、あるいはインターネットに接続されたウェブサーバ等の通信装置からの信号を、基地局等を介してアンテナ２２１で受信することが可能である。無線通信部２２０は、受信信号に対して増幅処理及びダウンコンバートを行って、処理後の受信信号を制御部２１０に出力することが可能である。制御部２１０は、入力される受信信号に対して復調処理等を行って、当該受信信号に含まれる、音声や音楽などを示す音信号などを取得することが可能である。また無線通信部２２０は、制御部２１０で生成された、音信号等を含む送信信号に対してアップコンバート及び増幅処理を行って、処理後の送信信号をアンテナ２２１から無線送信することが可能である。アンテナ２２１からの送信信号は、基地局等を通じて、電子機器２とは別の携帯電話機、あるいはインターネットに接続された通信装置で受信される。
【００３６】
表示パネル２３０は、例えば、液晶表示パネルあるいは有機ＥＬパネルである。表示パネル２３０は、制御部２１０によって制御されることによって、文字、記号、図形などの各種情報を表示することが可能である。表示パネル２３０は、機器ケース２０内において、表示領域２１と対向して配置されている。表示パネル２３０に表示される情報は表示領域２１に表示される。表示パネル２３０及び表示領域２１によって、ユーザに各種情報を表示して提示する表示部が構成されている。当該表示部の表示は制御部２１０によって制御される。
【００３７】
タッチパネル２４０は、表示領域２１に対する指等の操作子による操作を検出することが可能である。タッチパネル２４０は、例えば、投影型静電容量方式のタッチパネルであって、例えば表示領域２１の裏面に貼り付けられている。ユーザが指等の操作子によって表示領域２１に対して操作を行ったとき、その操作に応じた電気信号がタッチパネル２４０から制御部２１０に入力される。制御部２１０は、タッチパネル２４０からの電気信号に基づいて、表示領域２１に対して行われた操作の内容を特定して、その内容に応じた処理を行うことが可能である。
【００３８】
マイク２５０は、電子機器２の外部から入力される音を電気的な音信号に変換して制御部２１０に出力することが可能である。電子機器２の外部からの音はマイク穴２３から電子機器２の内部に取り込まれてマイク２５０に入力される。
【００３９】
外部スピーカ２７０は、例えばダイナミックスピーカである。外部スピーカ２７０は、制御部２１０からの電気的な音信号を音に変換して出力することが可能である。外部スピーカ２７０から出力される音はスピーカ穴２４から外部に出力される。スピーカ穴２４から出力される音は、電子機器２から離れた場所でも聞こえるようになっている。
【００４０】
レシーバ２６０は受話音を出力することが可能である。レシーバ２６０は例えばダイナミックスピーカで構成されている。レシーバ２６０は、制御部２１０からの電気的な音信号を音に変換して出力することが可能である。レシーバ２６０から出力される音はレシーバ穴２２から外部に出力される。レシーバ穴２２から出力される音の音量は、スピーカ穴２４から出力される音の音量よりも小さくなっている。
【００４１】
前面側撮像部２８０は、撮像レンズ２８１及び撮像素子などで構成されている。前面側撮像部２８０は、制御部２１０による制御に基づいて、静止画像及び動画像を撮像することが可能である。裏面側撮像部２９０は、撮像レンズ２９１及び撮像素子などで構成されている。裏面側撮像部２９０は、制御部２１０による制御に基づいて、静止画像及び動画像を撮像することが可能である。
【００４２】
電源部２００は電子機器２の電源を出力することが可能である。電源部２００から出力される電源は、電子機器２が備える制御部２１０及び無線通信部２２０などの各種回路に対して供給される。電源部２００は、電池２０１と、電池２０１を充電する充電処理部２０２とを備えている。電源部２００は、電池２０１の電力を電源として出力することが可能である。また電源部２００は、電子機器２の外部から供給される電力を電子機器２の電源として出力することも可能である。電子機器２の外部から供給される電力には、着脱式充電装置３から供給される電力と、非接触充電装置４から供給される電力と、ＵＳＢコネクタ２０８に供給される外部電力とが含まれる。
【００４３】
充電処理部２０２は、着脱式充電装置３から供給される電池３０１の電力に基づいて電池２０１を充電することが可能である。充電処理部２０２は、受電コイル２０５が受ける、非接触充電装置４の送電コイル４０５からの電力に基づいて電池２０１を充電することが可能である。充電処理部２０２は、ＵＳＢコネクタ２０８に供給される外部電力に基づいて電池２０１を充電することが可能である。
【００４４】
＜着脱式充電装置の電気的構成＞
図１４は着脱式充電装置３の電気的構成の一例を示すブロック図である。図１４に示されるように、着脱式充電装置３は、電池３０１と、充電部３０２と、昇圧回路３０３と、充電ＬＥＤ３０５と、ＵＳＢコネクタ３０６と、接続端子群３０７とを備えている。これらの構成要素はケース３００内に設けられている。
【００４５】
充電部３０２は、ＵＳＢコネクタ３０６に供給される第１外部電圧ＥＶ１に基づいて電池３０１を充電することが可能な回路である。充電ＬＥＤ（Light Emitting Diode）３０５は、一種の発光部であって、充電部３０２によって制御される。充電ＬＥＤ３０５は電池３０１の充電中に点灯することが可能である。充電ＬＥＤ３０５は、その点灯状態が着脱式充電装置３の外部から視認できるように着脱式充電装置３に設けられている。
【００４６】
昇圧回路３０３は、一種のＤＣ・ＤＣコンバータであって、入力電圧を５Ｖまで昇圧し、それによって得られる昇圧電圧ＢＶを出力することが可能である。この昇圧電圧ＢＶ（５Ｖ）は、電池３０１の出力電圧よりも高くなっている。満充電の電池３０１の出力電圧は４．２Ｖ程度となっている。昇圧回路３０３は、その出力を停止することも可能である。
【００４７】
接続端子群３０７を構成する複数の接続端子３０７ｚは、ＶＤＤ端子３０７ａ、制御端子３０７ｂ及びＧＮＤ端子３０７ｃで構成されている。ＶＤＤ端子３０７ａは、昇圧回路３０３から出力される昇圧電圧ＢＶを着脱式充電装置３の外部に出力する。制御端子３０７ｂには、電子機器２から出力される制御信号ＣＮＴが入力される。制御信号ＣＮＴは、昇圧回路３０３の出力を制御するための信号である。ＧＮＤ端子３０７ｄには着脱式充電装置３での接地電位が接続される。
【００４８】
昇圧回路３０３は、動作モードとして、電池３０１の出力電圧を昇圧して出力する昇圧モードと、動作を停止して出力を行わない停止モードとを備えている。昇圧回路３０３は、ＵＳＢコネクタ３０６に第１外部電圧ＥＶ１が供給されているときには、制御信号ＣＮＴの信号レベルにかかわらず、充電部３０２による制御によって停止モードで動作する。さらに、昇圧回路３０３は、Ｌｏｗレベルの制御信号ＣＮＴが入力されているときには停止モードで動作する。昇圧回路３０３が停止モードで動作しているときには、ＶＤＤ端子３０７ａから昇圧電圧ＢＶが出力されない。
【００４９】
また昇圧回路３０３は、ＵＳＢコネクタ３０６に第１外部電圧ＥＶ１が供給されず、かつＨｉｇｈレベルの制御信号ＣＮＴが入力されているときは、昇圧モードで動作する。昇圧回路３０３が昇圧モードで動作しているときには、ＶＤＤ端子３０７ａから昇圧電圧ＢＶが出力される。制御信号ＣＮＴは「イネーブル信号」とも呼ばれる。
【００５０】
充電部３０２は第１外部電圧ＥＶ１に基づいて電池３０１を充電することが可能である。充電部３０２は、ＵＳＢコネクタ３０６に第１外部電圧ＥＶ１が供給されており、かつ電池３０１が満充電でないとき、第１外部電圧ＥＶ１に基づいて電池３０１を充電する。また充電部３０２は、ＵＳＢコネクタ３０６に第１外部電圧ＥＶ１が供給されている場合には、昇圧回路３０３の動作モードを停止モードに設定する。したがって、電池３０１が充電中のときには、ＶＤＤ端子３０７ａから昇圧電圧ＢＶが出力されない。充電部３０２は、電池３０１の充電中には、充電ＬＥＤ３０５を点灯させ、電池３０１の充電が完了すると、充電ＬＥＤ３０５を消灯させる。
【００５１】
一方で、充電部３０２は、ＵＳＢコネクタ３０６に第１外部電圧ＥＶ１が供給されていないときには、電池３０１を充電せずに、昇圧回路３０３に対して電池３０１の出力電圧を供給する。このとき、制御信号ＣＮＴがＨｉｇｈレベルであり昇圧回路３０３が昇圧モードで動作するときには、ＶＤＤ端子３０７ａからは、電池３０１の出力電圧が５Ｖまで昇圧されることによって得られる昇圧電圧ＢＶが出力される。
【００５２】
＜電子機器の電源部の構成＞
図１５は、電子機器２の電源部２００の構成を主に示す図である。図１５に示されるように、電源部２００は、電池２０１と、電池２０１を充電することが可能な充電処理部２０２とを備えている。充電処理部２０２は、電池２０１を充電することが可能な充電制御部２０３と、非接触充電装置４からの電力を受ける受電処理部２０４と、接続端子群２０７と、ＵＳＢコネクタ２０８とを備えている。充電制御部２０３及び受電処理部２０４は制御部２１０によって制御される。
【００５３】
接続端子群２０７を構成する複数の接続端子２０７ｚは、ＶＤＤ端子２０７ａ、制御端子２０７ｂ及びＧＮＤ端子２０７ｃで構成されている。ＶＤＤ端子２０７ａは、着脱式充電装置３のＶＤＤ端子３０７ａと接触する。ＶＤＤ端子２０７ａには、着脱式充電装置３から出力される昇圧電圧ＢＶが入力される。制御端子２０７ｂは、着脱式充電装置３の制御端子３０７ｂと接触する。制御端子２０７ｂには、制御部２１０から出力される制御信号ＣＮＴが入力される。ＧＮＤ端子２０７ｃには、電子機器２での接地電位が接続される。
【００５４】
受電処理部２０４は、電気回路の一種であって、受電コイル２０５と、直流電圧生成部２０６とを備えている。直流電圧生成部２０６は、受電コイル２０５が受ける電力に基づいて直流電圧ＤＶを生成して出力することが可能な回路である。直流電圧生成部２０６は、整流器２０６ａ及び電圧調整部２０６ｂを備えている。整流器２０６ａは、受電コイル２０５で発生する電力を整流して直流電圧を生成することが可能である。電圧調整部２０６ｂは、整流器２０６ａで生成された直流電圧を降圧して直流電圧ＤＶを生成することが可能である。また受電処理部２０４は、受電コイル２０５を使用して、Ｑｉに準拠した通信方式に基づいて非接触充電装置４と通信を行うことが可能である。
【００５５】
充電制御部２０３は電池２０１に対する充電を制御すること可能な回路である。充電制御部２０３は、ＶＤＤ端子２０７ａに入力される昇圧電圧ＢＶに基づいて電池２０１を充電することが可能である。充電制御部２０３が昇圧電圧ＢＶに基づいて電池２０１を充電することによって、電池２０１が着脱式充電装置３によって接触充電（接点充電）される。充電制御部２０３は、直流電圧生成部２０６から出力される直流電圧ＤＶに基づいて電池２０１を充電することが可能である。充電制御部２０３が直流電圧ＤＶに基づいて電池２０１を充電することによって、電池２０１が非接触充電装置４によって非接触充電される。受電処理部２０４は、ＵＳＢコネクタ２０８に供給される第２外部電圧ＥＶ２に基づいて電池２０１を充電することが可能である。
【００５６】
充電制御部２０３は、ＶＤＤ端子２０７ａに入力される昇圧電圧ＢＶを、電子機器２の電源電圧として制御部２１０等の各種回路に供給することが可能である。充電制御部２０３は、直流電圧生成部２０６から出力される直流電圧ＤＶを、電子機器２の電源電圧として制御部２１０等の各種回路に供給することが可能である。充電制御部２０３は、ＵＳＢコネクタ２０８に供給される第２外部電圧ＥＶ２を、電子機器２の電源電圧として制御部２１０等の各種回路に供給することが可能である。充電制御部２０３は、第２外部電圧ＥＶ２、直流電圧ＤＶ及び昇圧電圧ＢＶのいずれもが入力されていないとき、電池２０１の出力電圧を電源電圧として出力する。
【００５７】
充電制御部２０３は、充電処理部２０２の状態を通知するための状態通知情報を制御部２１０に出力することが可能である。状態通知情報には、電池２０１が満充電であるか否かを示す情報、電池２０１が充電中であるか否かを示す情報、ＵＳＢコネクタ２０８に第２外部電圧ＥＶ２が供給されているか否かを示す情報、ＶＤＤ端子２０７ａに昇圧電圧ＢＶが入力されているか否かを示す情報などが含まれる。これにより、制御部２１０は、電池２０１が満充電であるか否か、電池２０１が充電中であるか否か、ＵＳＢコネクタ２０８に第２外部電圧ＥＶ２が供給されているか否か、ＶＤＤ端子２０７ａに昇圧電圧ＢＶが入力されているか否かを知ることができる。
【００５８】
制御部２１０は、基本的には、制御信号ＣＮＴの信号レベルをＨｉｇｈレベルに設定する。そして、制御部２１０は、昇圧回路３０３の動作を停止するときに制御信号ＣＮＴの信号レベルをＬｏｗレベルに設定する。例えば、制御部２１０は、電池２０１が満充電のとき、制御信号ＣＮＴの信号レベルをＬｏｗレベルに設定して昇圧回路３０３の動作を停止する。また制御部２１０は、電池２０１の充電中に電池２０１の温度が異常になったとき、制御信号ＣＮＴの信号レベルをＬｏｗレベルに設定して昇圧回路３０３の動作を停止する。電子機器２には、電池２０１の温度を検出する温度センサが設けられている。制御部２１０は、当該温度センサでの検出結果に基づいて、電池２０１の温度が異常であるか否かを判定することが可能である。
【００５９】
また制御部２１０は、受電処理部２０４の動作を停止することが可能である。例えば、制御部２１０は、電池２０１が満充電のときには、受電処理部２０４の動作を停止する。また制御部２１０は、電池２０１の充電中に電池２０１の温度が異常になったとき、受電処理部２０４の動作を停止する。受電処理部２０４の動作が停止している場合には、受電コイル２０５が非接触充電装置４からの電力を受けている場合であっても、受電処理部２０４からは直流電圧ＤＶは出力されない。
【００６０】
＜送電コイルから受電コイルへの電力の伝送について＞
次に送電コイル４０５から受電コイル２０５への電力の伝送について詳細に説明する。図１６は、非接触充電装置４と、それに載置された電子機器２との断面構造の一例の概略を示す図である。
【００６１】
受電コイル２０５及び送電コイル４０５のそれぞれは、巻回された導線で構成されている。受電コイル２０５は、その導線の巻回軸が、電子機器２の機器ケース２０の裏面２０ａ（機器ケース２０における、非接触充電装置４との接触面）に略直交する姿勢で配置されている。また送電コイル４０５は、その導線の巻回軸が、非接触充電装置４のケース４０における、電子機器２が載置される載置面４０ａに略直交する姿勢で配置されている。
【００６２】
電子機器２の機器ケース２０内では、電池２０１が表示パネル２３０と対向して配置されている。電池２０１は、表示パネル２３０と対向する第１主面２０１ａと、それとは反対側の第２主面２０１ｂとを備えている。受電コイル２０５は、磁性シート２０９に貼り付けられており、磁性シート２０９は電池２０１の第２主面２０１ｂに貼り付けられている。つまり、受電コイル２０５は、磁性シート２０９を介して電池２０１の第２主面２０１ｂに取り付けられている。受電コイル２０５は、機器ケース２０の裏面部分２５に対向して配置されている。受電コイル２０５と、機器ケース２０の裏面部分２５との間には隙間が存在する。なお、受電コイル２０５は電池２０１に貼り付けられていなくても良い。
【００６３】
非接触充電装置４のケース４０内には、ケース４０における、電子機器２が載置される載置部分４１と対向して磁性シート４０１が設けられている。磁性シート４０１は、ケース４０の載置部分４１と対向する第１主面４０１ａと、それとは反対側の第２主面４０１ｂとを備えている。磁性シート４０１の第１主面４０１ａには送電コイル４０５が貼り付けられている。送電コイル４０５は、ケース４０の載置部分４１と対向して配置されている。送電コイル４０５と、ケース４０の載置部分４１との間には隙間が存在する。
【００６４】
電子機器２の機器ケース２０の裏面２０ａが、非接触充電装置４のケース４０の載置面４０ａに接触するように、電子機器２が載置面４０ａに載置されると、受電コイル２０５と送電コイル４０５とが対向するようになる。この状態で送電コイル４０５が通電され、送電コイル４０５から磁束が発生すると、当該磁束は受電コイル２０５に鎖交する。これにより、受電コイル２０５には誘導起電力が発生する。つまり、受電コイル２０５は、送電コイル４０５から送電される電力を受電する。電子機器２の充電処理部２０２では、受電コイル２０５で発生する誘導起電力に基づいて電池２０１が充電される。このような非接触充電は「電磁誘導充電」と呼ばれる。
【００６５】
電子機器２に設けられた磁性シート２０９及び非接触充電装置４に設けられた磁性シート４０１は、受電コイル２０５及び送電コイル４０５を通る磁束が外側に漏れることを抑制する。これにより、非接触充電装置４から電子機器２に電力を伝送する際の電力伝送効率（「電力給電効率」とも呼ばれる）が向上する。
【００６６】
＜非接触充電時の電子機器の動作について＞
図１７は、電子機器２の電池２０１が非接触充電装置４によって非接触充電される場合の電子機器２の動作の一例を示すフローチャートである。
【００６７】
電子機器２は、非接触充電装置４から送電される電力を用いて電池２０１を充電する前に、非接触充電装置４と初期通信を行う。非接触充電装置４は、電子機器２が初期通信を行う際に用いる初期通信用電力を間欠的に送電コイル４０５から送電する。そして、非接触充電装置４は、初期通信の後に、電子機器２が電池２０１の充電に用いる充電用電力を送電コイル４０５から連続的に送電する。非接触充電装置４は、電子機器２と初期通信を行っている間も、初期通信用電力を間欠的に送電する。
【００６８】
電子機器２が非接触充電装置４に搭載されると、図１７に示されるように、ステップｓ１において、受電処理部２０４は、受電コイル２０５において、非接触充電装置４が間欠的に送電する初期通信用電力の受電を開始する。そして、ステップｓ２において、受電処理部２０４は、受電した初期通信用電力を電源として用いて、非接触充電装置４との初期通信を開始する。この初期通信では、受電処理部２０４は、受電コイル２０５に流れる電流を制御することによって、各種情報を非接触充電装置４に送信する。受電処理部２０４は、初期通信において、電子機器２の識別情報などの、非接触充電装置４が電子機器２の認証を行うために必要な情報、受電コイル２０５での受電電力を示す受電電力情報等を非接触充電装置４に送信する。
【００６９】
ステップｓ２の後、ステップｓ３において初期通信が終了すると、つまり受電処理部２０４での各種情報の送信が終了すると、ステップｓ４において、受電処理部２０４は、受電コイル２０５において、非接触充電装置４が送電する充電用電力の受電を開始する。非接触充電装置４は、受電処理部２０４との初期通信が終了すると、初期通信において受電処理部２０４から受信した情報に基づいて電子機器２の認証を行う。そして、非接触充電装置４は、電子機器２の認証に成功すると、初期通信において受電処理部２０４から受信した受電電力情報等に基づいて、電子機器２の電池２０１の非接触充電に必要な送電電力の値を決定する。そして、非接触充電装置４は、初期通信用電力を送電する替りに、決定した値の充電用電力を送電コイル４０５から連続的に送電する。
【００７０】
受電処理部２０４が充電用電力の受電を開始すると、ステップｓ５において、充電処理部２０２は、受電した充電用電力を用いて電池２０１の充電を開始する。充電処理部２０２では、直流電圧生成部２０６が、受電コイル２０５で受電された充電用電力に基づいて直流電圧ＤＶを生成して充電制御部２０３に出力する。充電制御部２０３は直流電圧ＤＶに基づいて電池２０１を充電する。
【００７１】
電池２０１の充電中には、制御部２１０は、非接触充電装置４によって電池２０１が非接触充電されていることをユーザに通知する第１通知情報５１０を表示パネル２３０に表示させる。表示パネル２３０に表示される第１通知情報５１０は、電子機器２の前面２ａの表示領域２１に表示される。
【００７２】
図１８は表示領域２１での第１通知情報５１０の表示例を示す図である。図１８に示されるように、表示領域２１には、ユーザに様々な通知を行う通知画面５００が表示される。表示領域２１が表示を行う限り、通知画面５００は常に表示領域２１に表示される。したがって、通知画面５００は、ホーム画面及びロック画面のそれぞれにも含まれる。通知画面５００は、例えば、表示領域２１の上端部に表示される。第１通知情報５１０は通知画面５００に示される。第１通知情報５１０は例えばアイコンで構成されている。以後、第１通知情報５１０を「第１通知アイコン５１０」と呼ぶことがある。通知画面５００には、第１通知アイコン５１０以外にも、例えば、現在時刻を示す時刻情報５２０、電池２０１の現在の容量（電池残量）を示す電池残量情報５３０などが含まれる。時刻情報５２０は、例えば文字列で構成されており、電池残量情報５３０は、例えばアイコンで構成されている。
【００７３】
電池２０１の充電が開始した後、ステップｓ６において、充電制御部２０３は、電池２０１が満充電になったと判定すると、電池２０１の充電を終了する。電池２０１の充電が終了すると、ステップｓ７において、受電処理部２０４は、非接触充電装置４に対して充電用電力の送電を停止することを指示する送電停止信号を受電コイル２０５を利用して送信する。制御部２１０は、充電制御部２０３からの状態通知情報に基づいて、電池２０１の充電が終了したと判断すると、受電処理部２０４を制御して、受電処理部２０４から送電停止信号を送信させる。
【００７４】
電子機器２から送電停止信号が送信されると、ステップｓ８において、制御部２１０は受電処理部２０４の動作を停止する。非接触充電装置４は、送電停止信号を受信すると、充電用電力の送電を停止する。その後、非接触充電装置４は、初期通信用電力の間欠送電を開始する。電池２０１が満充電となった電子機器２では、電池２０１の電力が消費され、電池２０１が満充電でなくなると、制御部２１０による制御によって、受電処理部２０４の動作が再開する。
【００７５】
受電処理部２０４は、充電用電力を受電しているときには、充電用電力を用いて、非接触充電装置４に対して定期的に受電電力情報等を送信する。これにより、充電用電力を送電している非接触充電装置４は、自身の載置面４０ａに電子機器２が載置されているか否か、言い換えれば電子機器２が近くに存在するか否かを判断することができる。充電用電力を送電している非接触充電装置４は、受電処理部２０４からの情報を受信できなくなったとき、載置面４０ａに電子機器２が載置されていない判断して、充電用電力の送電を停止する。その後、非接触充電装置４は初期通信用電力の間欠送電を開始する。
【００７６】
また、電池２０１が満充電のときには、受電処理部２０４の動作が停止することから、電池２０１が満充電のとき、受電処理部２０４は、受電コイル２０５で初期通信用電力が受電される場合であっても初期通信を行わない。したがって、電池２０１が満充電のとき、電子機器２が非接触充電装置４に載置されたとしも、非接触充電装置４は充電用電力を送電しない。
【００７７】
＜非接触充電装置の送電の可否決定＞
上述の図１２及び図１６では、電子機器２は、着脱式充電装置３が装着されていない状態で非接触充電装置４上に載置されている。
【００７８】
一方で、図１９に示されるように、電子機器２は、着脱式充電装置３が装着された状態で非接触充電装置４上に載置されることも可能である。着脱式充電装置３が装着されている電子機器２が非接触充電装置４上に載置された状態で、電子機器２の電池２０１が非接触充電装置４によって非接触充電される場合には、電子機器２に装着されている着脱式充電装置３が発熱する可能性がある。
【００７９】
着脱式充電装置３は、電子機器２の背面２ｂ側に装着される。そのため、図１９に示されるように、電子機器２の背面２ｂ側を下側にしてジャケット付き電子機器２が非接触充電装置４上に載置されると、着脱式充電装置３は、電子機器２の受電コイル２０５と、非接触充電装置４の送電コイル４０５との間に位置することになる。この状態で、非接触充電装置４が送電コイル４０５から電力を送電すると、着脱式充電装置３に含まれる金属が発熱する可能性がある。例えば、電池５０１に含まれる金属と、昇圧回路３０３等が搭載される基板に含まれる金属（グランドパターン等）が発熱する可能性がある。またケース３００に金属が含まれる場合には、ケース３００が発熱する可能性がある。
【００８０】
そこで、電子機器２の制御部２１０は、電子機器２に着脱式充電装置３が装着されているか否かに基づいて、非接触充電装置４による充電用電力の送電の可否を決定する。具体的には、制御部２１０は、着脱式充電装置３が装着されている場合、非接触充電装置４による充電用電力の送電を不可とする。一方で、電子機器２は、着脱式充電装置３が装着されていない場合、非接触充電装置４による充電用電力の送電を可とする。これにより、着脱式充電装置３が電子機器２に装着された状態で、当該電子機器２に対して、非接触充電装置４から充電用電力が送電されることを抑制することができる。その結果、電子機器２に装着された着脱式充電装置３が発熱することを抑制することができる。
【００８１】
図２０は制御部２１０が充電用電力の送電の可否を決定する際の制御部２１０の動作の一例を示すフローチャートである。図２０に示されるように、制御部２１０は、ステップｓ１１において、電子機器２に着脱式充電装置３が装着されているか否かを判定する。ステップｓ１１において、制御部２１０は、充電制御部２０３からの状態通知情報に基づいて、ＶＤＤ端子２０７ａに昇圧電圧ＢＶが入力されているか否かを判断する。そして、制御部２１０は、ＶＤＤ端子２０７ａに昇圧電圧ＢＶが入力されていると判断すると、電子機器２に着脱式充電装置３が装着されていると判定する。一方で、制御部２１０は、ＶＤＤ端子２０７ａに昇圧電圧ＢＶが入力されていないと判断すると、電子機器２に着脱式充電装置３が装着されていないと判定する。
【００８２】
制御部２１０は、ステップｓ１１において、電子機器２に着脱式充電装置３が装着されていると判定すると、ステップｓ１２において、非接触充電装置４による充電用電力の送電を不可とする。そして、ステップｓ１３において、制御部２１０は、受電処理部２０４の動作を停止する。受電処理部２０４の動作が停止している場合には、受電処理部２０４は非接触充電装置４と初期通信を行うことができない。したがって、受電処理部２０４の動作が停止している場合には、非接触充電装置４は充電用電力を送電しない。よって、着脱式充電装置３が装着された電子機器２が非接触充電装置４上に載置されたとしても、非接触充電装置４からは充電用電力が送電されずに、電子機器２の電池２０１は非接触充電されない。電子機器２は、受電処理部２０４の動作を停止することによって、非接触充電装置４から充電用電力が送電されないようにすることができる。
【００８３】
一方で、制御部２１０は、ステップｓ１１において、電子機器２に着脱式充電装置３が装着されていないと判定すると、ステップｓ１４において、非接触充電装置４による充電用電力の送電を可とする。そして、ステップｓ１５において、制御部２１０は、受電処理部２０４を動作させる。電子機器２に着脱式充電装置３が装着されていない場合には、受電処理部２０４は動作することから、受電処理部２０４は非接触充電装置４と初期通信を行うことができる。したがって、着脱式充電装置３が装着されていない電子機器２が非接触充電装置４上に載置された場合には、非接触充電装置４から充電用電力が送電され、電子機器２の電池２０１は非接触充電される。
【００８４】
ステップｓ１３の後、制御部２１０は、ステップｓ１１を再度実行し、以後同様に動作する。またステップｓ１５の後、制御部２１０は、ステップｓ１１を再度実行し、以後同様に動作する。制御部２１０はステップｓ１１を例えば定期的に実行する。
【００８５】
このように、着脱式充電装置３が装着されていない電子機器２が、非接触充電装置４に近づけられた場合には、非接触充電装置４は充電用電力を当該電子機器２に送電する。したがって、着脱式充電装置３が装着されていない電子機器２は、非接触充電装置４からの充電用電力に基づいて電池２０１を充電することができる。
【００８６】
一方で、着脱式充電装置３が装着されている電子機器２が、非接触充電装置４に近づけられた場合には、非接触充電装置４は充電用電力を当該電子機器２に送電しない。したがって、着脱式充電装置３が装着されている電子機器２は、非接触充電装置４からの充電用電力に基づいて電池２０１を充電することはできない。
【００８７】
＜電子機器での複数種類の電力に基づく充電制御について＞
＜電子機器に外部電圧が供給されている場合＞
電子機器２のＵＳＢコネクタ２０８に第２外部電圧ＥＶ２が供給されている場合、充電制御部２０３は、受電コイル２０５が充電用電力を受電しているか否か、ＶＤＤ端子２０７ａに昇圧電圧ＢＶが入力されているか否かにかかわらず、第２外部電圧ＥＶ２に基づいて電池２０１を充電するとともに、第２外部電圧ＥＶ２を電源電圧として出力する。
【００８８】
具体的には、充電制御部２０３は、電池２０１が満充電でないとき、第２外部電圧ＥＶ２に基づいて電池２０１を充電するとともに、第２外部電圧ＥＶ２を電源電圧として出力する。一方で、充電制御部２０３は、電池２０１が満充電のときには、電池２０１を充電せずに、第２外部電圧ＥＶ２を電源電圧として出力する。
【００８９】
ＵＳＢコネクタ２０８に第２外部電圧ＥＶ２が供給されているとき、制御部２１０は、制御信号ＣＮＴをＬｏｗレベルに設定し、かつ受電処理部２０４の動作を停止する。
【００９０】
＜電子機器に外部電圧が供給されていない場合＞
ＵＳＢコネクタ２０８に第２外部電圧ＥＶ２が供給されていない場合には、電子機器２に着脱式充電装置３が装着されているか否かによって、充電処理部２０２の動作は異なる。
【００９１】
＜電子機器に着脱式充電装置が装着されていない場合＞
電子機器２に着脱式充電装置３が装着されていない場合には、受電処理部２０４は動作することから、受電処理部２０４からは直流電圧ＤＶが出力される。電子機器２のＵＳＢコネクタ２０８に第２外部電圧ＥＶ２が供給されず、電子機器２に着脱式充電装置３が装着されていない場合には、充電制御部２０３は、受電処理部２０４からの直流電圧ＤＶに基づいて電池２０１を充電するとともに、直流電圧ＤＶを電源電圧として出力する。なお、電池２０１が満充電のときには、充電制御部２０３は、電池２０１を充電せずに、直流電圧ＤＶを電源電圧として出力する。
【００９２】
＜電子機器に着脱式充電装置が装着されている場合＞
電子機器２に着脱式充電装置３が装着されている場合には、受電処理部２０４の動作は停止する。したがって、受電処理部２０４からは直流電圧ＤＶが出力されない。電子機器２のＵＳＢコネクタ２０８に第２外部電圧ＥＶ２が供給されず、電子機器２に着脱式充電装置３が装着されている場合には、充電制御部２０３は、ＶＤＤ端子２０７ａに入力される昇圧電圧ＢＶに基づいて電池２０１を充電するとともに、昇圧電圧ＢＶを電源電圧として出力する。
【００９３】
なお、電池２０１が満充電のときには、充電制御部２０３は、電池２０１を充電せずに、昇圧電圧ＤＶを電源電圧として出力する。
【００９４】
また、上述のように、着脱式充電装置３に第１外部電圧ＥＶ１が供給されている場合には、昇圧回路３０３の出力は停止する。したがって、この場合には、充電制御部２０３は、電池２０１を充電せずに、電池２０１の出力電圧を電源電圧として出力する。
【００９５】
このように、充電処理部２０２は、電子機器２に対して第２外部電圧ＥＶ２が供給されている場合には、着脱式充電装置３及び非接触充電装置４から電力が供給されているか否かにかかわらず、第２外部電圧ＥＶ２に基づいて電池２０１の充電等を行う。
【００９６】
また、充電処理部２０２は、電子機器２に対して第２外部電圧ＥＶ２が供給されず、着脱式充電装置３が電子機器２に装着されていない場合には、非接触充電装置４からの充電用電力に基づいて電池２０１の充電等を行う。
【００９７】
そして、充電処理部２０２は、電子機器２に対して第２外部電圧ＥＶ２が供給されず、着脱式充電装置３が電子機器２に装着されている場合には、着脱式充電装置３からの電力に基づいて電池２０１の充電等を行う。
【００９８】
以上のように、電子機器２では、電子機器２に着脱式充電装置３が装着されていると判定されたとき、非接触充電装置４による充電用電力の送電が不可とされる。したがって、電子機器２に着脱式充電装置３が装着されているときに、当該電子機器２に対して、非接触充電装置４が充電用電力を送電することを抑制することができる。よって、着脱式充電装置３が発熱することを抑制することができる。
【００９９】
また、非接触充電装置４による充電用電力の送電が不可とされたとき、受電処理部２０４の動作が停止することから、電子機器２の消費電力を低減することができる。
【０１００】
＜各種変形例＞
以下に各種変形例について説明する。
【０１０１】
＜第１変形例＞
電子機器２は、非接触充電装置４による充電用電力の送電が不可の場合、非接触充電が実行されないことをユーザに通知しても良い。このとき、電子機器２は、例えば、表示パネル２３０及び表示領域２１から成る表示部を用いて、非接触充電が実行されないことをユーザに通知する。つまり、表示部は、非接触充電が実行されないことをユーザに通知する通知部として機能する。
【０１０２】
図２１は第１変形例に係る制御部２１０の動作の一例を示すフローチャートである。図２１に示されるフローチャートは、図２０に示されるフローチャートに対してステップｓ２１，ｓ２２が追加されている。
【０１０３】
図２１に示されるように、制御部２１０は、ステップｓ１３において受電処理部２０４の動作を停止すると、ステップｓ２１において、表示パネル２３０を制御して、非接触充電が実行されないことをユーザに通知する第２通知情報を表示パネル２３０に表示させる。その後、制御部２１０はステップｓ１１を実行する。表示パネル２３０に表示される第２通知情報は電子機器２の前面２ａの表示領域２１に表示される。
【０１０４】
また制御部２１０は、ステップｓ１５において受電処理部２０４を動作させると、ステップｓ２２において、表示パネル２３０を制御して、第２通知情報の表示を表示パネル２３０に消去させる。その後、制御部２１０はステップｓ１１を実行する。なお、電子機器２に対して着脱式充電装置３が初めて装着されたときなど、ステップｓ１５の実行後に、表示パネル２３０に第２通知情報が表示されていないときには、ステップｓ２１は実行されずに、ステップｓ１１が実行される。
【０１０５】
図２２は表示領域２１での第２通知情報の表示例を示す図である。図２２に示されるように、表示領域２１に表示される通知画面５００には、第２通知情報として、非接触充電が実行されないことをユーザに通知する第２通知アイコン５５０が示されている。第２通知アイコン５５０は、例えば、図１８に示される第１通知アイコン５１０に対してバツ印が重ねられたアイコンとなっている。ジャケット付き電子機器２のユーザは、第２通知アイコン５５０を見ることによって、ジャケット付き電子機器２を非接触充電装置４に載置したとしても、電池２０１に対して非接触充電が実行されないことを知ることができる。
【０１０６】
表示領域２１には、第２通知アイコン５５０とともに、着脱式充電装置（ジャケット）３が電子機器２から取り外されなければ非接触充電が実行されないことをユーザに通知する第３通知情報６００が表示される。第３通知情報６００は、例えば「ジャケットを外さないと、非接触充電できません！」という文字列（記号列）で構成されている。ユーザは、第３通知情報６００を見ることによって、着脱式充電装置３を取り外した状態で電子機器２を非接触充電装置４に載置しなければ、電池２０１の非接触充電が実行されないことを知ることができる。また、ユーザは、第３通知情報６００を見ることによって、現状においては、電子機器２の電池２０１に対して非接触充電が実行されないことを知ることができる。したがって、第３通知情報６００は、非接触充電が実行されないことをユーザに通知する第２通知情報でもあると言える。
【０１０７】
さらに、表示領域２１には、電子機器２から着脱式充電装置３を取り外すことをユーザに通知する第４通知情報６１０も表示される。第４通知情報６１０は、例えば図形で構成されている。図２２の例では、第４通知情報６１０は、電子機器２を側面の方から見た際の当該電子機器２の外観を模式的に示す図形６２０と、着脱式充電装置３を側面の方から見た際の当該着脱式充電装置３の外観を模式的に示す図形６３０と、矢印６４０とで構成されている。図形６２０，６３０は、図形６２０が上側に位置するように上下に並べられている。矢印６４０は図形６２０，６３０の間に配置されている。矢印６４０の向きは、図形６２０から図形６３０に向かう向きとなっている。第３通知情報６００に加えて第４通知情報６１０が表示されることにより、ユーザは、非接触充電が実行されるためには、着脱式充電装置３を電子機器２から取り外す必要があることを理解しやすくなる。
【０１０８】
第３通知情報６００及び第４通知情報６１０は、表示領域２１において、通知画面５００が表示される領域以外の領域に、第２通知アイコン５５０、時刻情報５２０及び電池残量情報５３０よりも大きく表示される。ステップｓ２１が実行される際に、表示領域２１にホーム画面が表示されているときには、第３通知情報６００及び第４通知情報６１０は当該ホーム画面に示される。また、ステップｓ２１が実行される際に、表示領域２１にロック画面が表示されているときには、第３通知情報６００及び第４通知情報６１０は当該ロック画面に示される。
【０１０９】
第３通知情報６００及び第４通知情報６１０の表示は、ユーザが表示領域２１に対して所定の操作を行ったときに消去されて良い。また、第３通知情報６００及び第４通知情報６１０が一定時間表示された後に、第３通知情報６００及び第４通知情報６１０の表示が消去されて良い。第３通知情報６００及び第４通知情報６１０の表示が消去されたとしも、第２通知アイコン５５０は表示されていることから、ユーザは、非接触充電が実行されないことを知ることができる。また、第３通知情報６００及び第４通知情報６１０の表示が消去されることによって、表示サイズの大きい第３通知情報６００及び第４通知情報６１０がいつまでも表示されることによってユーザが煩わしく感じることを抑制することができる。
【０１１０】
図２２の例では、第２通知アイコン５５０、第３通知情報６００及び第４通知情報６１０が表示されているが、少なくとも第２通知アイコン５５０及び第３通知情報６００の一方が表示されて良い。例えば、図２３に示されるように、第２通知アイコン５５０、第３通知情報６００及び第４通知情報６１０のうち、第２通知アイコン５５０だけが表示されて良い。また、図２４に示されるように、第２通知アイコン５５０、第３通知情報６００及び第４通知情報６１０のうち、第３通知情報６００だけが表示されて良い。また、図２５に示されるように、第２通知アイコン５５０、第３通知情報６００及び第４通知情報６１０のうち、第２通知アイコン５５０及び第３通知情報６００だけが表示されて良い。また、図２６に示されるように、第２通知アイコン５５０、第３通知情報６００及び第４通知情報６１０のうち、第３通知情報６００及び第４通知情報６１０だけが表示されて良い。第２通知アイコン５５０及び第３通知情報６００のそれぞれは、非接触充電が実行されないことをユーザに通知する第２通知情報であることから、少なくとも第２通知アイコン５５０及び第３通知情報６００の一方が表示されることによって、ユーザは、非接触充電が実行されないことを知ることができる。
【０１１１】
図２２の例では、第２通知アイコン５５０、第３通知情報６００及び第４通知情報６１０が同時に表示されているが、第２通知アイコン５５０が表示されずに第３通知情報６００及び第４通知情報６１０が表示された後に、第３通知情報６００及び第４通知情報６１０の表示が消去されて第２通知アイコン５５０が表示されて良い。つまり、表示領域２１の表示が、図２６の表示から図２３の表示に変化しても良い。この場合には、例えば、第２通知アイコン５５０が表示されずに第３通知情報６００及び第４通知情報６１０が一定時間表示された後に、第３通知情報６００及び第４通知情報６１０の表示が消去されて第２通知アイコン５５０が表示される。これにより、表示サイズの大きい第３通知情報６００及び第４通知情報６１０がいつまでも表示されることによってユーザが煩わしく感じることを抑制することができる。さらに、第３通知情報６００及び第４通知情報６１０の表示が消去された後は第２通知アイコン５５０が表示されていることから、ユーザは、非接触充電が実行されないことを知ることができる。
【０１１２】
また、第２通知アイコン５５０、第３通知情報６００及び第４通知情報６１０のうち、第２通知アイコン５５０だけが表示されている場合には（図２３参照）、電子機器２に所定の操作が行われたとき、第３通知情報６００及び第４通知情報６１０が表示されても良い。例えば、図２７に示されるように、第２通知アイコン５５０に対してユーザが指７００等でタップ操作を行ったとき、図２２に示されるように、第３通知情報６００及び第４通知情報６１０が表示されて良い。また図２８に示されるように、ユーザが指７００等で通知画面５００から下方向にスライド操作を行ったとき、図２２に示されるように、第３通知情報６００及び第４通知情報６１０が表示されて良い。これにより、ユーザは、第２通知アイコン５５０で通知される情報よりも詳しい情報を知ることができる。なお、第３通知情報６００及び第４通知情報６１０の表示は、一定時間表示後に消去されても良いし、表示領域２１に対して所定の操作が行われたときに消去されても良い。
【０１１３】
上記の例では、電子機器２は、情報を表示することによって、非接触充電が実行されないことをユーザに通知しているが、他の方法を用いて、非接触充電が実行されないことをユーザに通知して良い。例えば、電子機器２は、外部スピーカ２７０から所定の音を出力することによって、非接触充電が実行されないことをユーザに通知して良い。また、電子機器２は、機器ケース２０を振動させることができる場合には、機器ケース２０を振動させることによって、非接触充電が実行されないことをユーザに通知して良い。また電子機器２は、発光ダイオード等から成る発光部を備え、当該発光部の発光が電子機器２の外側から視認できる場合には、当該発光部を発光させることによって、非接触充電が実行されないことをユーザに通知して良い。また電子機器２は、複数種類の方法を用いて、非接触充電が実行されないことをユーザに通知して良い。例えば、電子機器２は、図２２等に示されるように表示パネル２３０に所定の情報を表示しつつ、発光部を発光させることによって、非接触充電が実行されないことをユーザに通知して良い。
【０１１４】
同様に、電子機器２は、情報を表示する方法以外の他の方法を用いて、着脱式充電装置３が電子機器２から取り外されなければ非接触充電が実行されないことをユーザに通知して良いし、複数種類の方法を用いて着脱式充電装置３が電子機器２から取り外されなければ非接触充電が実行されないことをユーザに通知して良い。
【０１１５】
＜第２変形例＞
上記の例では、電子機器２は、電子機器２が非接触充電装置４に載置されているか否かにかかわらず、電子機器２に着脱式充電装置３が装着されているか否かを判定しているが、電子機器２が非接触充電装置４に載置されたときに、電子機器２に着脱式充電装置３が装着されているか否かを判定しても良い。図２９は第２変形例に係る電子機器２の動作の一例を示すフローチャートである。
【０１１６】
電子機器２が非接触充電装置４に搭載されると、図２９に示されるように、上述の図１７と同様に、ステップｓ１において、受電処理部２０４は、受電コイル２０５において、非接触充電装置４が送電する初期通信用電力の受電を開始する。そして、ステップｓ２において、受電処理部２０４は、受電した初期通信用電力を電源として用いて、非接触充電装置４との初期通信を開始する。受電処理部２０４は、初期通信が開始すると、その旨を制御部２１０に通知する。
【０１１７】
初期通信が開始すると、ステップｓ３１において、制御部２１０は、上述のステップｓ１１と同様に、電子機器２に着脱式充電装置３が装着されているか否かを判定する。制御部２１０は、ステップｓ３１において、電子機器２に着脱式充電装置３が装着されていないと判定すると、ステップｓ３２において、非接触充電装置４による充電用電力の送電を可とする。これにより、着脱式充電装置３が装着されていない電子機器２が非接触充電装置４上に載置された場合には、非接触充電装置４から充電用電力が送電されるようになる。ステップｓ３２の後、ステップｓ３において初期通信が終了すると、上述のステップｓ４，ｓ５が実行されて、電池２０１の非接触受電が開始する。その後、ステップｓ６において電池２０１の非接触充電が終了し、ステップｓ７，ｓ８が実行される。
【０１１８】
一方で、制御部２１０は、ステップｓ１１において、電子機器２に着脱式充電装置３が装着されていると判定すると、ステップｓ３３において、非接触充電装置４による充電用電力の送電を不可とする。そして、ステップｓ３４において、制御部２１０は、受電処理部２０４を制御して、充電用電力を送電しないことを非接触充電装置４に指示するための非送電指示信号を受電処理部２０４に送信させる。ステップｓ３１〜ｓ３４は、初期通信の間に実行される。
【０１１９】
非接触充電装置４は、受電処理部２０４との初期通信において、受電処理部２０４から非送電指示信号を受信すると、充電用電力を送電しないことを決定する。そして、非接触充電装置４は、受電処理部２０４との初期通信が終了すると、充電用電力は送電せずに、初期通信用電力を間欠的に送電する。
【０１２０】
電子機器２では、ステップｓ３４の後にステップｓ３５において初期通信が終了すると、ステップｓ３６において、制御部２１０は第２通知アイコン５５０、第３通知情報６００及び第４通知情報６１０を表示パネル２３０に表示させる。これにより、表示領域２１の表示は、例えば上述の図２２のような表示となる。なお、受電処理部２０４は、初期通信が終了すると、その旨を制御部２１０に通知する。
【０１２１】
ステップｓ３６の後、ステップｓ３７において、受電処理部２０４は、非接触充電装置４から間欠的に送電される初期通信用電力を間欠的に受電する受電状態となる。ここでは、受電処理部２０４は、初期通信用電力を受電したとしても初期通信は行わない。そして、ステップｓ３８において、受電処理部２０４は、自身の状態が、受電状態から、初期通信用電力を全く受電しない非受電状態に変化したか否かを判定する。ステップｓ３８において、受電処理部２０４は、所定時間の間、非接触充電装置４からの電力を受電しない場合には、自身の状態が受電状態から非受電状態に変化したと判定する。この所定時間は、非接触充電装置４が初期通信用電力を送電する間隔（間欠送電間隔）よりも大きい時間に設定される。一方で、受電処理部２０４は、当該所定時間の間に、非接触充電装置４からの電力を受電する場合には、自身の状態が受電状態のままであると判定する。受電処理部２０４は、自身の状態が受電状態から非受電状態に変化したと判定すると、自身の状態が受電状態から非受電状態に変化したことを制御部２１０に通知する。受電処理部２０４は、自身の状態が受電状態から非受電状態に変化したと判定するまで、ステップｓ３８を繰り返し実行する。ステップｓ３８の処理は、非接触充電装置４に載置されている電子機器２が、非接触充電装置４から離されたか否かが判定される処理であると言える。
【０１２２】
ステップｓ３８において、受電処理部２０４の状態が受電状態から非受電状態に変化したと判定されると、ステップｓ３９において、制御部２１０は、第２通知アイコン５５０、第３通知情報６００及び第４通知情報６１０の表示を表示パネル２３０に消去させる。これにより、第２通知アイコン５５０、第３通知情報６００及び第４通知情報６１０が表示された後、電子機器２が非接触充電装置４から離されて非接触充電装置４からの電力を受電できなくなると、第２通知アイコン５５０、第３通知情報６００及び第４通知情報６１０の表示が消去する。
【０１２３】
ステップｓ３９の後、電子機器２が非接触充電装置４に再度載置されて、受電処理部２０４が初期通信用電力を受電すると（ステップｓ１）、ステップｓ２が実行され、以後電子機器２は同様に動作する。
【０１２４】
上記の説明から理解できるように、第２変形例では、ジャケット付き電子機器２が、非接触充電装置４に載置されると、ジャケット付き電子機器２では、第２通知アイコン５５０、第３通知情報６００及び第４通知情報６１０が表示される。その後、ジャケット付き電子機器２が非接触充電装置４から離されると、第２通知アイコン５５０、第３通知情報６００及び第４通知情報６１０の表示が消去する。そして、ジャケット付き電子機器２が、非接触充電装置４に再度載置されると、ジャケット付き電子機器２では、第２通知アイコン５５０、第３通知情報６００及び第４通知情報６１０が再度表示される。
【０１２５】
このように、第２変形例では、電子機器２は、非接触充電装置４と初期通信を開始した後に、言い換えれば、電子機器２が非接触充電装置４に載置されたときに、着脱式充電装置３が電子機器２に装着されているか否かを判定する。したがって、着脱式充電装置３が電子機器２に装着されているか否かを判定する判定処理の実行頻度を低減することができる。
【０１２６】
また第２変形例では、受電処理部２０４は、非接触充電装置４との初期通信において非送電指示信号を送信する。非接触充電装置４は、初期通信が完了した後に充電用電力を送電することから、初期通信において非送電指示信号が送信されることによって、非接触充電装置４がジャケット付き電子機器２に充電用電力を送電することをより確実に抑制することができる。
【０１２７】
また第２変形例では、受電処理部２０４の状態が受電状態から非受電状態に変化したとき、第２通知アイコン５５０、第３通知情報６００及び第４通知情報６１０の表示が消去される。したがって、第２通知アイコン５５０、第３通知情報６００及び第４通知情報６１０がいつまでも表示されることによってユーザが煩わしく感じることを抑制することができる。
【０１２８】
また上記の説明から理解できるように、ステップｓ３９が実行された後、ステップｓ１が実行されると、受電処理部２０４の状態は非受電状態から受電状態に変化する。そして、ステップｓ２，ｓ３１，ｓ３３〜ｓ３６が実行されると、第２通知アイコン５５０、第３通知情報６００及び第４通知情報６１０が表示される。つまり、受電処理部２０４の状態が受電状態から非受電状態に変化して、第２通知アイコン５５０、第３通知情報６００及び第４通知情報６１０の表示が消去された後、受電処理部２０４の状態が非受電状態から受電状態に変化すると、第２通知アイコン５５０、第３通知情報６００及び第４通知情報６１０が再表示される。よって、ユーザは、第２通知アイコン５５０、第３通知情報６００及び第４通知情報６１０を再度確認することができる。
【０１２９】
なお、第１変形例と同様に、ステップｓ３６では、少なくとも第２通知アイコン５５０及び第３通知情報６００の一方が表示されて良い（図２３〜２６参照）。
【０１３０】
また、ステップｓ３９では、第２通知アイコン５５０、第３通知情報６００及び第４通知情報６１０のうち、第３通知情報６００及び第４通知情報６１０だけの表示が消去されても良い。ステップｓ３９の後、第２通知アイコン５５０の表示は、例えば、着脱式充電装置３が電子機器２から取り外された場合に消去される。また第２通知アイコン５５０の表示は、ステップｓ３９において第３通知情報６００及び第４通知情報６１０の表示が消去されてから一定時間経過後に消去されても良い。また、第２通知アイコン５５０の表示は、ステップｓ３９の後、電子機器２から着脱式充電装置３が取り外され、その後、当該電子機器２が非接触充電装置４に載置されてステップｓ１，ｓ２，ｓ３１，ｓ３２が実行された直後に消去されても良い。
【０１３１】
また、ステップｓ３６では、第２通知アイコン５５０、第３通知情報６００及び第４通知情報６１０のうち、第３通知情報６００及び第４通知情報６１０だけが表示され、ステップｓ３９では、第３通知情報６００及び第４通知情報６１０の表示が消去されるとともに第２通知アイコン５５０が表示されて良い。ステップｓ３９の後、第２通知アイコン５５０の表示は、例えば、着脱式充電装置３が電子機器２から取り外された場合に消去される。また、第２通知アイコン５５０の表示は、ステップｓ３９において第３通知情報６００及び第４通知情報６１０の表示が消去されてから一定時間経過後に消去されても良い。また、第２通知アイコン５５０の表示は、ステップｓ３９の後、電子機器２から着脱式充電装置３が取り外され、その後、当該電子機器２が非接触充電装置４に載置されてステップｓ１，ｓ２，ｓ３１，ｓ３２が実行された直後に消去されても良い。ステップｓ３９において第２通知アイコン５５０が表示される場合には、ステップｓ３９において制御部２１０は受電処理部２０４の動作を停止しても良い。これにより、電子機器２の消費電力が低減する。この場合には、着脱式充電装置３が電子機器２から取り外されたとき、制御部２１０は、停止している受電処理部２０４を動作させる。
【０１３２】
また、図３０に示されるように、ステップｓ３６〜ｓ３９の代わりにステップｓ４１，ｓ４２が実行されても良い。ステップｓ４１では、第２通知アイコン５５０、第３通知情報６００及び第４通知情報６１０が一定時間表示され、その後、ステップｓ４２において、第２通知アイコン５５０、第３通知情報６００及び第４通知情報６１０の表示が消去される。つまり、図３０の例では、第２通知アイコン５５０、第３通知情報６００及び第４通知情報６１０が一定時間表示された後に、第２通知アイコン５５０、第３通知情報６００及び第４通知情報６１０の表示が消去される。
【０１３３】
また、図３１に示されるように、ステップｓ３６〜ｓ３９の代わりにステップｓ５１，ｓ５２が実行されても良い。ステップｓ５１では、第２通知アイコン５５０、第３通知情報６００及び第４通知情報６１０のうち第３通知情報６００及び第４通知情報６１０だけが一定時間表示され、その後、ステップｓ５２において、第３通知情報６００及び第４通知情報６１０の表示が消去されるとともに第２通知アイコン５５０が表示される。つまり、図３１の例では、第２通知アイコン５５０が表示されずに第３通知情報６００及び第４通知情報６１０が一定時間表示された後、第３通知情報６００及び第４通知情報６１０の表示が消去されるとともに第２通知アイコン５５０が表示される。ステップｓ５２の後、第２通知アイコン５５０の表示は、例えば、着脱式充電装置３が電子機器２から取り外された場合に消去される。また、ステップｓ５２での第２通知アイコン５５０の表示は、ステップｓ５２において第２通知アイコン５５０が表示されてから一定時間経過後に消去されても良い。また、ステップｓ５２での第２通知アイコン５５０の表示は、ステップｓ５２の後、電子機器２から着脱式充電装置３が取り外され、その後、当該電子機器２が非接触充電装置４に載置されてステップｓ１，ｓ２，ｓ３１，ｓ３２が実行された直後に消去されても良い。なお、ステップｓ５２において、制御部２１０は受電処理部２０４の動作を停止しても良い。これにより、電子機器２の消費電力が低減する。この場合には、着脱式充電装置３が電子機器２から取り外されたとき、制御部２１０は、停止している受電処理部２０４を動作させる。
【０１３４】
また、第１変形例と同様に、第２通知アイコン５５０、第３通知情報６００及び第４通知情報６１０のうち、第２通知アイコン５５０だけが表示されている場合には（図２３参照）、図２７，２８に示されるように、電子機器２に所定の操作が行われたとき、第３通知情報６００及び第４通知情報６１０が表示されても良い。
【０１３５】
また、第１変形例と同様に、電子機器２は、情報を表示する方法以外の他の方法を用いて、非接触充電が実行されないことをユーザに通知して良いし、複数種類の方法を用いて非接触充電が実行されないことをユーザに通知して良い。また、電子機器２は、情報を表示する方法以外の他の方法を用いて、着脱式充電装置３が電子機器２から取り外されなければ非接触充電が実行されないことをユーザに通知して良いし、複数種類の方法を用いて着脱式充電装置３が電子機器２から取り外されなければ非接触充電が実行されないことをユーザに通知して良い。
【０１３６】
以上のように、電子機器システム１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【０１３７】
１  電子機器システム
２  電子機器
３  着脱式充電装置
４  非接触充電装置
２１  表示領域
２０１，３０１  電池
２０２  充電処理部
２０３  充電制御部
２０４  受電処理部
２１０  制御部  
２３０  表示パネル
【図１】
2016189967.tif 000003
【図２】
2016189967.tif 000004
【図３】
2016189967.tif 000005
【図４】
2016189967.tif 000006
【図５】
2016189967.tif 000007
【図６】
2016189967.tif 000008
【図７】
2016189967.tif 000009
【図８】
2016189967.tif 000010
【図９】
2016189967.tif 000011
【図１０】
2016189967.tif 000012
【図１１】
2016189967.tif 000013
【図１２】
2016189967.tif 000014
【図１３】
2016189967.tif 000015
【図１４】
2016189967.tif 000016
【図１５】
2016189967.tif 000017
【図１６】
2016189967.tif 000018
【図１７】
2016189967.tif 000019
【図１８】
2016189967.tif 000020
【図１９】
2016189967.tif 000021
【図２０】
2016189967.tif 000022
【図２１】
2016189967.tif 000023
【図２２】
2016189967.tif 000024
【図２３】
2016189967.tif 000025
【図２４】
2016189967.tif 000026
【図２５】
2016189967.tif 000027
【図２６】
2016189967.tif 000028
【図２７】
2016189967.tif 000029
【図２８】
2016189967.tif 000030
【図２９】
2016189967.tif 000031
【図３０】
2016189967.tif 000032
【図３１】
2016189967.tif 000033
【国際調査報告】
2016189967.tif 000034
2016189967.tif 000035